(57)【特許請求の範囲】
【請求項１】
一定の間隔で折畳まれた状態でシート状の防湿材で包装され、かつ箱詰めされた連続帳票用紙と、箱詰めされた前記連続帳票用紙を設置する用紙台と、この用紙台の上方かつ用紙の搬送方向下流側に設置され、用紙幅方向に干渉する面を有する用紙ガイドとを備えたプリンタに使用する連続帳票用紙の装填方法であって、箱詰めされた前記連続帳票用紙の折畳み部分の折り方向と前記用紙ガイドの端部とが所定の角度を有するように配置し、前記連続帳票用紙が前記用紙ガイドに対してねじれた状態で搬送されるようにしたことを特徴とするプリンタに使用する連続帳票用紙の装填方法。
【請求項２】
箱詰めされた前記連続帳票用紙の折り畳み部分の折り方向が前記用紙ガイドの端部に対して所定角度回転された位置となるように、前記連続帳票用紙をガイドする用紙設置板を前記用紙台上に配することを特徴とする請求項１記載のプリンタに使用する連続帳票用紙の装填方法。
【請求項３】
前記用紙ガイドが前記連続帳票用紙の折畳み部分の折り方向に対して所定角度回転された位置に配されていることを特徴とする請求項１記載のプリンタに使用する連続帳票用紙の装填方法。
【発明の詳細な説明】
【技術分野】
【０００１】
本発明は、防湿シートなどの搬送負荷を有する用紙を使用するプリンタの連続帳票用紙の用紙装填装置に関するものである。
【背景技術】
【０００２】
プリンタの印刷用紙は、用紙走行方向の両端部に送り穴を有し、用紙幅方向に一定間隔で折畳みミシンを加工し所定量を折畳みミシンで折り重ね、吸湿しないように防湿シートのような防湿材で包装し箱詰めされた連続帳票用紙を実用する。印刷前に、図５に示すような用紙台３７に用紙突当部３８を突き当てて用紙１を装填し、箱３内の防湿シートを開き、プリンタ内の主な機構部である搬送部、転写部、定着部、折畳み部に印刷用紙を通紙してから印刷を開始する。
【０００３】
用紙突当部３８はプリンタの印刷基準位置に合わせた位置で、用紙１装填の度に突き当てを要する。用紙ガイド端部３６は用紙１上方に有りプリンタ内に搬送する用紙の平滑性を規制し、用紙終端センサ１０、１１は用紙１の終端を検出する。
【０００４】
図１はプリンタ内ヘの通紙が終了し、連続帳票用紙１上面から折畳みミシンＢ、Ｃが折り目を平面状に解かれプリンタ内に連続的に搬送している実態図を示す。図５に示すように折畳みミシンＢの折り方向と用紙ガイド端部３６の角度θ３は通常「０」で平行であり、折畳みミシンＢの角部３９、４０及び折畳みミシンＣの角部４１、４２は連続帳票用紙１上から同時に引き上げ搬送される。角部３９、４０の同時搬送段階で防湿シート４面を接触搬送するので箱３から開放されている防湿シート４がばたつきながら連続帳票用紙１に絡み付くようになり、角部３９から４０の範囲と防湿シート４で囲まれた領域に密閉空間ａが形成される。折畳みミシンＣ側でも同様に密閉空間ｂが形成される。
【０００５】
前述した防湿シート４と折畳みミシンＢ、Ｃとの関係は繰返し行なわれるので、連続帳票用紙１とプラスチック材を使用するのが実用である防湿シート４間には摩擦帯電を起こしている。防湿シート４が連続帳票用紙１搬送の方向Ａに追従し巻き上げられると、方向Ａと反方向負荷が増えるため、プリンタの用紙搬送部内では規定の位置を用紙が走行しない、用紙が破れるなどの搬送障害を起こす。
【０００６】
転写部内では連続帳票用紙１への印刷データ転写が不安定になり印刷位置ズレ、印刷不良の印刷障害を起こす要因となる。また、連続帳票用紙１が空になっても巻き上げられた防湿シート４、及び箱３が用紙終端センサ１０、１１の光軸Ｄを塞いで、用紙切れをプリンタで検出できず印刷を継続することになり、センサ誤検出による印刷障害の問題が予想される。用紙の防湿材形状についてはシート状と、袋状があり、袋状のものを実用すれば、箱の外側に一杯に折り返しておくことでオペレータ操作は増えるものの前記した巻き上げ現象の軽減はできる。しかし、用紙メーカ側は、防湿材による包装が用紙加工後であり、作業性上からも市場で占める割合は大半がシート状と予想される。
【０００７】
プリンタの印刷速度から見れば、印刷速度が低速の場合は、用紙と防湿シート間の摩擦帯電が低いので防湿シート巻き上がりも少なく実用域と考えられるので、上記問題を起こすまでには至っていないことが予想される。プリンタ印刷速度の高速化により、用紙と防湿シート間の摩擦帯電量も増加してくるので、防湿シート巻き上げ高さも高くなり、方向Ａと反対方向の負荷が大きくなり、プリンタ内での印刷障害、走行障害の問題が健著になると考えられる。また、用紙終端センサ１０、１１での誤検出頻度も高くなると予想される。
【０００８】
【特許文献１】特開平５−６９６１１号公報
【発明の開示】
【発明が解決しようとする課題】
【０００９】
用紙台に設置された連続帳票用紙は、用紙上面から折畳みミシン全幅を一度に引き上げ搬送するので、防湿シートが絡みつきやすく、用紙と防湿シート間で密閉空間を形成する。防湿シートにはプラスチック材を実用しておりこの密閉空間形成の繰返しにより静電気的な吸着力も同時に発生している。この用紙搬送時の抵抗は、用紙上面からＺ折りされた用紙角部を引き上げる段階で大きく、防湿シートから剥離された段階では軽減されるので、変動した負荷になっている。前述した用紙搬送抵抗は、プリンタが高速になる程大きな用紙搬送抵抗になり、走行障害、印刷障害の問題を起こし、印刷効率を低下させる。
【００１０】
本発明の目的は、用紙搬送抵抗となる例えば防湿シートなどの用紙の巻き上がりを、簡便に行うことのできる連続帳票用紙の用紙装填装置を提供することにある。
【課題を解決するための手段】
【００１１】
前記目的を達成するため、本願の請求項１に記載の発明は、一定の間隔で折畳まれた状態でシート状の防湿材で包装され、かつ箱詰めされた連続帳票用紙と、箱詰めされた前記連続帳票用紙を設置する用紙台と、この用紙台の上方かつ用紙の搬送方向下流側に設置され、用紙幅方向に干渉する面を有する用紙ガイドとを備えたプリンタに使用する連続帳票用紙の装填方法であって、箱詰めされた前記連続帳票用紙の折畳み部分の折り方向と前記用紙ガイドの端部とが所定の角度を有するように配置し、前記連続帳票用紙が前記用紙ガイドに対してねじれた状態で搬送されるようにしたことを特徴とする。
【００１２】
また、請求項１記載の発明において、箱詰めされた前記連続帳票用紙の折り畳み部分の折り方向が前記用紙ガイドの端部に対して所定角度回転された位置となるように、前記連続帳票用紙をガイドする用紙設置板を前記用紙台上に配することを特徴とする。
更に、請求項１記載の発明において、前記用紙ガイドが前記連続帳票用紙の折畳み部分の折り方向に対して所定角度回転された位置に配されていることを特徴とする。
【発明の効果】
【００１３】
本発明は前述のような構成になっており、連続帳票用紙の用紙装填装置を安価で簡便な手段により実用化できる。また、オペレータ操作を増やすことがなく負担にならないので、顧客満足度の効果が期待できる。
【発明を実施するための最良の形態】
【００１４】
本発明は、箱詰めされた前記連続帳票用紙を上方の用紙ガイドに対し水平方向に所定の角度分回転し、箱詰めされた前記連続帳票用紙と用紙ガイドの範囲で用紙に水平方向のねじりを付加する様にして、折畳みミシンの一方から他方に徐々に防湿シートを引き離すようにすることで、用紙と防湿シート間の密閉空間を解放するように作用させることで用紙搬送抵抗を低減できる。また、用紙台を従来例とし用紙ガイドの方を箱詰めされた前記連続帳票用紙に対して水平方向に所定の角度分を回転した位置に設置した場合でも同様の効果を達成することができる。
【００１５】
図１は、本発明の実施例１に係る連続帳票用紙の用紙装填装置の断面図である。同図に示すように用紙台２に防湿シート４で包装し箱３内に収納した連続帳票用紙１を設置し、折畳みミシンＢ、Ｃを繰返し交互に解き平面状にして、用紙ガイド５の端部６、用紙ガイド７の端部８にガイドされてからプリンタ内部の方向Ａに案内搬送している状態を示す。
【００１６】
端部６、７は用紙幅方向に干渉する面であり、用紙走行面は平滑な状態で搬送負荷にしないため、形状は円か円弧状が好ましい。
【００１７】
図２は、図１を上から見た平面図である。防湿シート４で包装され箱３に収納された連続帳票用紙１の面２１、２２をＬ形状の用紙設置板２０に突き当て装填した状態を示しており、用紙設置板２０により連続帳票用紙１は用紙ガイド５の端部６に対し、水平方向に角度θ１分回転させた関係にされ設置されている。
【００１８】
用紙設置板２０は矢印Ｅ、Ｆに移動設置可能で、連続帳票用紙１のサイズに対応した箱３の面２１、２２に合うよう突き当て位置を調整できる。連続帳票用紙１は方向Ａに搬送を開始されると、Ｚ折りされた折畳みミシンＢ側の用紙に干渉する端部６より離れている角部１７は角部１６より先に防湿シート４から引離され、高さＬ範囲で角部１７、１６の高さ、水平方向の位置にズレを生じてねじれ関係の搬送になり、用紙ガイド５、７の端部６、８に案内される。前記角部１７、１６のねじれ関係搬送により、連続帳票用紙１と防湿シート４で囲まれた領域には密封空間が作られなくなるので、防湿シート４の巻き上がりは解消できる。折畳みミシンＣ側についても折畳みミシンＢ側同様の関係で、密封空間が作られない状態で角部１８、１９が搬送される。
【００１９】
用紙ガイド５、７の端部６、８は、範囲Ｌで生じた角部１７、１６のねじれ関係を軽減し平滑な用紙面にしてプリンタ内の搬送機構部、転写機構部に搬入するような構成で備えてある。角度θ１は、連続帳票用紙１の端部１３をプリンタ内の用紙搬送基準に合わせてから、連続帳票用紙１面の対角線１２ａ、１３ｂが交差する中心１４で回転し求めた角度で、防湿シート４の巻き上がりを防止し搬送抵抗を軽減すること、転写部での印刷に、範囲Ｌで生じた用紙ねじれの影響がないことの条件から決められる。
【００２０】
図２において、角度θ１分回転した連続帳票用紙１の装填位置は、中心１４が用紙ガイドの端部６と一致した位置か、中心１４が用紙ガイド５側に入り込んだ位置（図の左側）にすることで、連続帳票用紙１を防湿シート４から迅速に引き離しができるので、本発明の用紙搬送抵抗の低減効果を高められる。中心１４が用紙ガイドの端部６より外側に離れた位置にすると、上記した防湿シート４の引き離しが遅くなり用紙搬送抵抗の低減効果も弱くなる。
【００２１】
図３は、図２と同様の効果を得ることができる実施例２の平面図で、用紙台２９は従来例と同じにプリンタ内の印刷基準位置に合わせた突き当て位置２８に連続帳票用紙１を装填した図を示す。用紙ガイド５の端部６は図１、２の位置より角度θ２分を水平方向に回転した位置にする。角度θ２は角度θ１と同じ角度か、同程度の角度に設定してある。この構成によっても、連続帳票用紙１上面から引き上げ搬送されるＺ折りの角部２５は角部２４より先に防湿シート４から引離され搬送されるので、高さＬ範囲の角部２４、２５はねじれ関係で搬送される。角部２６、２７についても同様の搬送となる。この構成により連続帳票用紙１と防湿シート４間に密閉空間は形成されなくなり、用紙搬送抵抗を解消される。
【００２２】
図４は、本発明の実施例３を説明するための用紙設置板３０の平面図である。この実施例は用紙設置板２０を単一形とした場合の用紙設置板３０の例を示しており、突当部３１、３２を用紙台２９に設定し、装填する用紙を突当部３４、３５に突き当てることで、本発明の効果を得る。また、従来の用紙台ヘの適用が可能なる。
【００２３】
上記したような用紙台の実用することで、プリンタ高速化に伴う大量印刷においても、用紙装填及び用紙交換作業により印刷効率低下をさせることがなく、安定した走行性、及び印刷品質を提供できる。
【産業上の利用可能性】
【００２４】
防湿シートなど搬送抵抗を伴う印刷用紙の抵抗緩和装置として有効に利用できる。実用においては部品点数に影響しないので利用性が容易と考えられる。また、オペレータ操作が複雑にならないので顧客サービスに効果的と考える。
【図面の簡単な説明】
【００２５】
【図１】本発明の実施例１に係る用紙装填装置の断面図である。
【図２】その用紙装填装置の平面図である。
【図３】本発明の実施例２に係る用紙装填装置の平面図である。
【図４】本発明の実施例３に係る用紙装填装置に用いる用紙設置板の平面図である。
【図５】従来の用紙装填装置の平面図である。
【符号の説明】
【００２６】
１は連続帳票用紙、２は用紙台、３は箱、４は防湿シート、５，７は用紙ガイド、６，８は端部、９はフレーム、１０，１１は用紙終端センサ、１２ａ，１２ｂは対角線、１３は面、１４は中心、１５は送り穴、１６，１７，１８，１９は角部、２０は用紙設置板、２１，２２は面、２３は用紙干渉部、２４，２５，２６，２７は角部、２８は用紙突当部、２９は用紙台、３０は用紙設置板、３１，３２，３３，３４，３５は突当部。
【図１】
0004976958.tif 000002
【図２】
0004976958.tif 000003
【図３】
0004976958.tif 000004
【図４】
0004976958.tif 000005
【図５】
0004976958.tif 000006